(57)【要約】【課題】背景部と文字部の視覚的な濃度差の少ない地紋画像を出力することができる画像形成装置を提供する。【解決手段】文字部と背景部を含む地紋画像を形成する画像形成装置であって、像保持体上に、所定の濃度の背景部のトナーパッチと、面積諧調率が異なる複数Ｃｉｎの文字部のトナーパッチを形成するトナーパッチ形成手段と、トナーパッチの濃度を検出する濃度検出手段と、検出した背景部のトナーパッチの検出値に最も近似する文字部のトナーパッチの面積諧調率Ｃｉｎを決定する決定手段と、を備えた。【選択図】図６
2020046561.tif 000002
【特許請求の範囲】
【請求項１】
文字部と背景部を含む地紋画像を形成する画像形成装置であって、
像保持体上に、所定の濃度の前記背景部のトナーパッチと、面積諧調率が異なる複数Ｃｉｎの前記文字部のトナーパッチを形成するトナーパッチ形成手段と、
前記トナーパッチの濃度を検出する濃度検出手段と、
検出した前記背景部のトナーパッチの検出値に最も近似する前記文字部のトナーパッチの前記面積諧調率Ｃｉｎを決定する決定手段と、を備えた、
ことを特徴とする画像形成装置。
【請求項２】
前記濃度検出手段は、前記トナーパッチの検出値を、前記トナーパッチの濃度を検出した検出値から前記濃度検出手段の暗電圧値を減じた値を、前記像保持体の素面を検出した検出値から前記濃度検出手段の暗電圧値を減じた値で除算した規格化検出値に換算して、前記トナーパッチの検出値とする、
ことを特徴とする請求項１に記載の画像形成装置。
【請求項３】
前記決定手段は、前記文字部の複数Ｃｉｎのトナーパッチに対する検出値を線形近似した濃度値に基づいて、前記背景部のトナーパッチの濃度値と一致する前記文字部のトナーパッチの前記面積諧調率Ｃｉｎを決定する、
ことを特徴とする請求項１又は２に記載の画像形成装置。
【請求項４】
前記トナーパッチ形成手段は、前記文字部と前記背景部では異なった線数のスクリーンを適用してそれぞれの前記トナーパッチを形成する、
ことを特徴とする請求項１ないし３のいずれか１項に記載の画像形成装置。
【請求項５】
前記トナーパッチ形成手段は、前記文字部に適用するスクリーン線数を前記背景部に適用するスクリーン線数に比べて高く設定してそれぞれの前記トナーパッチを形成する、
ことを特徴とする請求項４に記載の画像形成装置。
【請求項６】
前記決定手段は、検出した前記文字部のトナーパッチの濃度値が予め定められた閾値よりも低い場合、前記線形近似の対象とはしない、
ことを特徴とする請求項１ないし５のいずれか１項に記載の画像形成装置。
【請求項７】
前記決定手段は、検出した前記背景部のトナーパッチの濃度値が前記文字部を線形近に似した濃度値のいずれとも一致しない場合、前記文字部のＣｉｎを最大値又は最小値に決定して、その旨を報知する、
ことを特徴とする請求項１ないし４のいずれか１項に記載の画像形成装置。
【発明の詳細な説明】
【技術分野】
【０００１】
本発明は、画像形成装置に関する。
【背景技術】
【０００２】
潜像部と背景部とを含む地紋画像を印刷する画像形成装置において、潜像部の濃度及び背景部の濃度がそれぞれ所定の濃度になるように、潜像部用の階調及び背景部用の階調の少なくとも１つを補正する補正手段と、補正された階調に基づいて潜像部用の画像信号及び背景部用の画像信号をそれぞれ出力する出力手段と、各画像信号に基づいて地紋画像を印刷する印刷手段とを備える画像形成装置が知られている（特許文献１）。
【先行技術文献】
【特許文献】
【０００３】
【特許文献１】特開２００７−０８１７５０号公報
【発明の概要】
【発明が解決しようとする課題】
【０００４】
本発明は、背景部と文字部の視覚的な濃度差の少ない地紋画像を出力することができる画像形成装置を提供することを目的とする。
【課題を解決するための手段】
【０００５】
前記課題を解決するために、請求項１記載の画像形成装置は、
文字部と背景部を含む地紋画像を形成する画像形成装置であって、
像保持体上に、所定の濃度の前記背景部のトナーパッチと、面積諧調率が異なる複数Ｃｉｎの前記文字部のトナーパッチを形成するトナーパッチ形成手段と、
前記トナーパッチの濃度を検出する濃度検出手段と、
検出した前記背景部のトナーパッチの検出値に最も近似する前記文字部のトナーパッチの前記面積諧調率Ｃｉｎを決定する決定手段と、を備えた、
ことを特徴とする。
【０００６】
請求項２記載の発明は、請求項１に記載の画像形成装置において、
前記濃度検出手段は、前記トナーパッチの検出値を、前記トナーパッチの濃度を検出した検出値から前記濃度検出手段の暗電圧値を減じた値を、前記像保持体の素面を検出した検出値から前記濃度検出手段の暗電圧値を減じた値で除算した規格化検出値に換算して、前記トナーパッチの検出値とする、
ことを特徴とする。
【０００７】
請求項３記載の発明は、請求項１又は２に記載の画像形成装置において、
前記決定手段は、前記文字部の複数Ｃｉｎのトナーパッチに対する検出値を線形近似した濃度値に基づいて、前記背景部のトナーパッチの濃度値と一致する前記文字部のトナーパッチの前記面積諧調率Ｃｉｎを決定する、
ことを特徴とする。
【０００８】
請求項４記載の発明は、請求項１ないし３のいずれか１項に記載の画像形成装置において、
前記トナーパッチ形成手段は、前記文字部と前記背景部では異なった線数のスクリーンを適用してそれぞれの前記トナーパッチを形成する、
ことを特徴とする。
【０００９】
請求項５記載の発明は、請求項４に記載の画像形成装置において、
前記トナーパッチ形成手段は、前記文字部に適用するスクリーン線数を前記背景部に適用するスクリーン線数に比べて高く設定してそれぞれの前記トナーパッチを形成する、
ことを特徴とする。
【００１０】
請求項６記載の発明は、請求項１ないし５のいずれか１項に記載の画像形成装置において、
前記決定手段は、検出した前記文字部のトナーパッチの濃度値が予め定められた閾値よりも低い場合、前記線形近似の対象とはしない、
ことを特徴とする。
【００１１】
請求項７記載の発明は、請求項１ないし４のいずれか１項に記載の画像形成装置において、
前記決定手段は、検出した前記背景部のトナーパッチの濃度値が前記文字部を線形近に似した濃度値のいずれとも一致しない場合、前記文字部のＣｉｎを最大値又は最小値に決定して、その旨を報知する、
ことを特徴とする。
【発明の効果】
【００１２】
請求項１に記載の発明によれば、背景部と文字部の視覚的な濃度差の少ない地紋画像を出力することができる。
【００１３】
請求項２に記載の発明によれば、検出値のばらつき誤差を小さくすることができる。
【００１４】
請求項３に記載の発明によれば、検出値のばらつき誤差を小さくすることができる。
【００１５】
請求項４に記載の発明によれば、背景部の濃度変動を抑制することができる。
【００１６】
請求項５に記載の発明によれば、背景部の濃度変動を抑制することができる。
【００１７】
請求項６に記載の発明によれば、検出値のばらつき誤差を小さくすることができる。
【００１８】
請求項７に記載の発明によれば、一旦文字部のＣｉｎを決定した上で、装置の保守担当者に報知することができる。
【図面の簡単な説明】
【００１９】
【図１】画像形成装置の内部構成を示す断面模式図である。
【図２】画像形成装置の機能構成を示す機能ブロック図である。
【図３】画像形成装置の地紋画像印刷の構成を示す機能ブロック図である。
【図４】（ａ）は背景部と文字部のトナーパッチを説明する図、（ｂ）は背景部と文字部のトナーパッチの読み取りを説明する図である。
【図５】文字部のトナーパッチの面積階調率Ｃｉｎと濃度の関係の一例を示す図である。
【図６】画像形成装置における地紋画像印刷の動作の流れを示すフローチャートである。
【図７】（ａ）はＡＤＣセンサで読み取られたそれぞれのパッチパターン濃度の一例を示す図、（ｂ）は規格化されたＡＤＣセンサの読み値を線形近似したパッチパターン濃度の一例を示す図である。
【図８】文字部の面積階調率Ｃｉｎが決定された地紋画像の例を示す図である。
【図９】予め定められた濃度値の閾値よりも低い濃度値のパッチパターンがあった場合の線形近似の例を示す図である。
【図１０】背景部の濃度値と略一致する文字部の濃度値を選択できない場合の文字部のパッチパターンの決定を説明する図である。
【図１１】背景部の濃度値と略一致する文字部の濃度値を選択できない場合の文字部のパッチパターンの決定を説明する図である。
【図１２】操作表示部に表示される報知例を示す図である。
【図１３】地紋画像を説明する模式図である。
【発明を実施するための形態】
【００２０】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００２１】
「第１実施形態」
（１）画像形成装置の全体構成及び動作
（１．１）画像形成装置の全体構成
図１は本実施形態に係る画像形成装置１の内部構成を示す断面模式図である。
画像形成装置１は、画像形成部１０と、画像形成部１０の下部に装着された給紙装置２０と、画像形成部１０の上部に装着された読取装置３０と、操作表示部４０と、画像処理部５０と、システム制御装置６０と、を備えて構成され、プリント機能やコピー機能が実行されることにより画像が用紙等の記録媒体上に印刷される。
【００２２】
画像形成部１０は、露光装置１２、感光体ユニット１３、現像装置１４、転写装置１５、定着装置１６、を備えて構成され、画像処理部５０から受け取った画像情報を給紙装置２０から送り込まれた用紙上にトナー像として形成する。
【００２３】
画像形成部１０の底部には、用紙トレイ２１、２２を有する給紙装置２０が設けられ、更に給紙装置２０の下方には、上下方向に多段（本実施形態においては２段）に配置され、用紙を収容する用紙トレイＴ１、Ｔ２からなるトレイモジュールＴＭが接続されて画像形成部１０に対する用紙供給を行う。
【００２４】
画像形成部１０の上方には、読取装置３０が配置されている。読取装置３０は、ＣＣＤ（Charge Coupled Device）ラインセンサ等のイメージセンサ（不図示）で、シートの画像を読み取り、電気信号である画像データに変換する。
【００２５】
読取装置３０の前面側には、ユーザーインターフェイスとしての操作表示部４０が配置されている。操作表示部４０は、液晶表示パネル、各種操作ボタン、タッチパネル等を組み合わせて構成され、画像形成装置１の利用者は、操作表示部４０を介して各種の設定や指示の入力を行う。また、液晶表示パネルを介して画像形成装置１の利用者へ各種情報を表示する。
【００２６】
画像処理部５０は、外部機器（デジタルカメラ、携帯端末、パーソナルコンピュータ等）から取り込まれた印刷情報から画像データを生成するとともに、読取装置３０によって入力された画像データを用いて種々の画像処理を行う。
【００２７】
（１．２）画像形成部１０の構成及び動作
このような構成の画像形成装置１では、画像形成のタイミングに合わせて給紙装置２０から、印刷ジョブで指定された用紙が画像形成部１０へ送り込まれる。
【００２８】
感光体ユニット１３は、給紙装置２０の上方に、それぞれが並列して設けられ、回転駆動する感光体ドラム３１を備えている。露光装置１２により静電潜像が形成されたそれぞれの感光体ドラム３１上には、それぞれの現像装置１４によってイエロー（Ｙ）、マゼンタ（Ｍ）、シアン（Ｃ）、黒（Ｋ）のトナー像が形成される。
【００２９】
各感光体ユニット１３の感光体ドラム３１に形成された各色トナー像は、転写装置１５の中間転写ベルト５１上に順次静電転写（一次転写）され、各色トナーが重畳された重畳トナー像が形成される。中間転写ベルト５１上の重畳トナー像は、レジストローラ対２４から送り出され、搬送ガイドにより案内された用紙に二次転写ローラ５２によって一括転写される。  
【００３０】
定着装置１６は一対の加熱モジュール１６Ａと加圧モジュール１６Ｂの圧接領域によって定着ニップ部ＮＰ（定着領域）が形成される。
転写装置１５においてトナー像が一括転写された用紙は、トナー像が未定着の状態で搬送ガイドを介して定着装置１６の定着ニップ部ＮＰに搬送され、一対の加熱モジュール１６Ａと加圧モジュール１６Ｂにより、圧着と加熱の作用でトナー像が定着される。
【００３１】
定着トナー像が形成された用紙は、搬送ガイドによってガイドされ、排出ローラ対６９から画像形成装置１上面の排紙トレイ部ＴＲ１に排出・収容される。
尚、自動で両面印刷を行う場合には、用紙の表裏が反転され、再び画像形成部１０へ送り込まれる。そして、トナー像の転写および転写像の定着が行われた後に、排紙トレイ部ＴＲ１に排出されることになる。
【００３２】
（２）画像形成装置の機能構成と動作
（２．１）システム制御装置の機能構成
図２は本実施形態に係る画像形成装置１の機能構成を示す機能ブロック図である。
画像形成装置１は、印刷制御部６１、濃度情報検出部６２、文字部条件決定部６３、地紋データ作成部６４を含むシステム制御装置６０を備え、メモリに記憶された制御プログラムを実行して、画像形成装置１全体の動作制御を行う。
【００３３】
印刷制御部６１は、給紙装置２０との間の情報授受についての制御の他に、画像形成部１０が備える露光装置１２、感光体ユニット１３、現像装置１４、転写装置１５、定着装置１６等に対して、動作制御指示を与える。
【００３４】
濃度検知手段の一例として濃度情報検出部６２は、地紋画像形成時に、像保持体の一例としての中間転写ベルト５１上に形成されたトナーパッチ（パッチパターン：Ｐ［ｉ］）を読み取って、後述する地紋データを形成する際の文字部データの面積階調率Ｃｉｎを決定する。
【００３５】
決定手段の一例としての文字部条件決定部６３は、濃度情報検出部６２が取得した地紋画像の背景部のパッチパターンＰ［０］と面積階調率Ｃｉｎが異なる複数Ｃｉｎの文字部のパッチパターンＰ［ｉ］（ｉ＝１〜ｎ）の濃度検知値から、背景部のパッチパターンＰ［０］に最も近似する文字部のパッチパターンの面積階調率Ｃｉｎを決定する。
【００３６】
地紋データ作成部６４は、予め定められた条件（ドットパターン、線数）に従った背景部の画像データと、予め定められた条件（ドットパターン、線数）及び文字部条件決定部６３で決定された面積階調率Ｃｉｎに従って形成された文字部の画像データにより、出力対象となる画像データに画像合成される地紋画像データを作成する。
【００３７】
（２．２）地紋画像
図３は、本実施形態における画像形成装置１の地紋画像印刷の構成を示す機能ブロック図、図４（ａ）は背景部と文字部のトナーパッチを説明する図、（ｂ）は背景部と文字部のトナーパッチの読み取りを説明する図、図５は文字部のトナーパッチの面積階調率Ｃｉｎと濃度の関係の一例を示す図、図１３は地紋画像を説明する模式図である。以下、図面を参照しながら、本実施形態に係る画像形成装置１における地紋画像の印刷について説明する。
【００３８】
領収書や証券、各種証明書の中には、簡単に複写されることがないように、複写すると、文字や画像が浮かび上がる特殊な模様が背景に印刷されているものがある。この特殊な模様は、一般に「地紋」と呼ばれ、地紋を画像データの背景に付加することで、複写によって原本を容易に複製できなくするような仕掛けを施し、心理的に、原本の複写を抑止することが行われている。
【００３９】
地紋画像は、図１３の左側に模式的に示すように、背景画像内の地紋文字の部分（以下、文字部という）と背景画像内の文字部以外の部分（以下、背景部という）との視覚上の濃度をほぼ同一としつつ、文字部の網点（ドットパターン）の線数を、背景部の網点（ドットパターン）の線数とは異ならせることで形成されている。
【００４０】
具体的には、文字部の網点の線数は、読取装置３０（イメージスキャナ）で解像されない高い線数とされ、背景部の網点の線数は、読取装置３０で十分解像される低い線数とされている。
したがって、図１３に示すように、地紋画像が埋め込まれた原稿の複写時において、背景部については、網点模様が読み取られ、その網点模様がそのまま印刷されるのに対して、文字部については、網点模様が、一定濃度の領域として読み取られるため、文字部は、２値化によって無濃度領域（あるいは低濃度領域）として印刷される。
【００４１】
これにより、複写（コピー）による印刷物においては、文字部の濃度が背景部の濃度より低くなって、文字部（つまり、地紋として埋め込んだ警告等）が視覚上認識されることになる。
このような地紋画像においては、低Ｃｉｎ領域における再現性の良くない画像形成装置を使用して文字部と背景部のパターンを形成した場合、孤立ドットが安定して再現できないことから、背景部と文字部の濃度に差異が発生する虞があった。また、画像形成装置は、所定トナー濃度を所定の帯電量に帯電させて画像形成を行うために、装置の設置環境（温度、湿度条件）の安定性に依存しており、使用状況によってドット再現性に影響を及ぼす虞があった。このため、印刷された文字部と背景部の濃度がばらつき、複写前の原稿（オリジナル画像）においても文字部が見えてしまうという問題があった。
【００４２】
（２．３）地紋画像の印刷
画像形成装置１は、図３に示すように、文字部条件決定部６３で、濃度情報検出部６２で読み取った背景部と文字部のパッチパターンの濃度に基づいて、文字部データの面積諧調率Ｃｉｎを決定する。そして、地紋データ作成部６４で地紋データを作成し、元画像の画像データと画像処理部５０で画像合成した後、画像形成部１０で印刷出力する。
【００４３】
画像形成装置１は、このような複写抑止のための地紋画像形成の指示を受け付けた場合、地紋データを作成するために、まず、図４に示すように、中間転写ベルト５１上に、所定の濃度の背景部のトナーパッチ（パッチパターンＰ［０］）と、面積階調率が異なる複数Ｃｉｎの文字部のトナーパッチ（パッチパターンＰ［ｉ］：ｉ＝１〜９）を形成して、濃度情報検出部６２で、トナーパッチの濃度を読み取る。濃度情報検出部６２としては、転写装置１５に備えられている画像形成プロセス制御用のＡＤＣ（Auto Density Control）センサＳＲを利用することができる。
【００４４】
ここで、文字部のパッチパターンＰ［ｉ］は、図５に一例として模式的に示すように、面積階調率Ｃｉｎが異なる９つの濃度レベルを有する（Ｐ［１］〜Ｐ［９］）。このように、文字部のパッチパターンＰ［ｉ］を面積階調率Ｃｉｎが異なるパッチパターンとすることで、現在の画像形成条件（装置、温度・湿度条件等）で形成される背景部の濃度と略一致する濃度の文字部の画像データを作成することができる。
【００４５】
（３）文字部の面積階調率Ｃｉｎの決定
図６は画像形成装置１における地紋画像印刷の動作の流れを示すフローチャート、図７（ａ）はＡＤＣセンサで読み取られたそれぞれのパッチパターン濃度の一例を示す図、（ｂ）は規格化されたＡＤＣセンサの読み値を線形近似したパッチパターン濃度の一例を示す図、図８は文字部の面積階調率Ｃｉｎが決定された地紋画像の例を示す図である。以下、図面を参照しながら、画像形成装置１における文字部の面積階調率Ｃｉｎの決定について説明する。
【００４６】
画像形成装置１は、印刷ジョブを受け付けると（Ｓ１０１）、印刷ジョブに地紋設定がなされているか否か判断する（Ｓ１０２）。
印刷ジョブに地紋設定がなされていた場合（Ｓ１０２：Ｙｅｓ）、背景部及び文字部のパッチパターンを像保持体としての中間転写ベルト５１上に形成する（Ｓ１０３）。本実施形態においては、背景部は低線数である４７線で形成される。また、文字部はそれぞれＣｉｎの異なる９つのパッチパターンが背景部に比して高線数である１４４線で形成される。
【００４７】
このように中間転写ベルト５１上に形成された背景部及び文字部のパッチパターンはＡＤＣセンサで読み取られる（Ｓ１０４）。図７（ａ）にはＡＤＣセンサで読み取られたそれぞれのパッチパターン（Ｐ［０］〜Ｐ［９］）濃度の一例を示す。図７（ａ）に示すように、濃度情報検出部６２は、ＡＤＣセンサＳＲで読み取られたそれぞれのパッチパターン（Ｐ［０］〜Ｐ［９］）の濃度に応じた濃度値ＡＤＣ［０］〜［９］を取得する。
【００４８】
このように、ＡＤＣセンサＳＲで直接読み取られた濃度値ＡＤＣ［０］〜［９］は、トナーパッチが形成された中間転写ベルト５１の素面の反射状態を含んでいるために、読取値の規格化を行う（Ｓ１０５）。具体的には、規格化された濃度値Ｒ−ＡＤＣは、（１）式で表される。
Ｒ−ＡＤＣ＝（Ｖpatch−Ｖdark）／（Ｖcln−Ｖdark）・・・（１）
ここに、ＡＤＣセンサＳＲによるトナーパッチの読み値をＶpatch、中間転写ベルト５１の素面の読み値をＶcln、ＡＤＣセンサＳＲの暗電圧をＶdarkとする。
図７（ｂ）には、図７（ａ）に対応して規格化された濃度値Ｒ−ＡＤＣ［０］〜［９］の一例を示す。
【００４９】
次に、図７（ｂ）に示すように、規格化されたパッチパターン（Ｐ［０］〜Ｐ［９］）の濃度値Ｒ−ＡＤＣ［０］〜［９］を線形近似して、背景部の濃度値Ｒ−ＡＤＣ［０］と略一致する文字部の濃度値Ｒ−ＡＤＣ［１］〜Ｐ［９］を決定する（Ｓ１０６〜Ｓ１０９）。
例えば、背景部の濃度値Ｒ−ＡＤＣ［０］と略一致する文字部の濃度値がＲ−ＡＤＣ［６］である場合、背景部のパッチパターンＰ［０］と一致する文字部のパッチパターンはＰ［６］となる。
【００５０】
このようにして、文字部条件決定部６３は、濃度情報検出部６２が取得した地紋画像の背景部のパッチパターンＰ［０］と面積階調率Ｃｉｎが異なる複数Ｃｉｎの文字部のパッチパターンＰ［ｉ］（ｉ＝１〜９）の濃度検知値から、背景部のパッチパターンＰ［０］に最も近似する文字部のパッチパターンの面積階調率Ｃｉｎを決定する（Ｓ１１０）。
これにより、背景部と文字部の視覚的な濃度差の少ない地紋画像を出力することができる。
【００５１】
図８に、このようにして文字部のパッチパターンの面積階調率Ｃｉｎ（Ｐ［６］）が決定された地紋画像の例を示す。
各地紋画像は、背景部Ｐ［０］に対して、図８（ａ）は文字部Ｐ［１］、（ｂ）は文字部Ｐ［２］、（ｃ）は文字部Ｐ［３］、（ｄ）は文字部Ｐ［４］、（ｅ）は文字部Ｐ［５］、（ｆ）は文字部Ｐ［６］、（ｇ）は文字部Ｐ［７］、（ｈ）は文字部Ｐ［８］、（ｉ）は文字部Ｐ［９］が適用された例を示している。
このように、濃度情報検出部６２が取得した地紋画像の背景部のパッチパターンＰ［０］と面積階調率Ｃｉｎが異なる複数Ｃｉｎの文字部のパッチパターンＰ［ｉ］（ｉ＝１〜９）の濃度検知値から、背景部のパッチパターンＰ［０］に最も近似する文字部のパッチパターンＰ［６］を選択することで背景部と文字部の視覚的な濃度差の少ない地紋画像を出力することができる。
【００５２】
図９は予め定められた濃度値の閾値よりも低い濃度値のパッチパターンがあった場合の線形近似の例を示す図である。
文字部条件決定部６３は、図９に一例として示すように、濃度情報検出部６２で検出されたパッチパターン（Ｐ［０］〜Ｐ［９］）のなかに、予め定められた濃度値の閾値よりも低い濃度値のパッチパターン（Ｐ［１］、Ｐ［２］）があった場合、線形近似の対象とはせず、他のパッチパターン（Ｐ［３］〜Ｐ［９］）の濃度値Ｒ−ＡＤＣ［３］〜［９］を用いて線形近似を行う。
例えば、図９に示す例において、低い濃度値のパッチパターン（Ｐ［１］、Ｐ［２］）は、中間転写ベルト５１上に形成されたトナーパッチが、中間転写ベルト５１の表面状態等により、設定されたＣｉｎで再現されていないことが推定される。
これにより、ＡＤＣセンサＳＲによるトナーパッチの読み値のばらつき誤差を小さくすることができる。
【００５３】
図１０及び図１１は、背景部の濃度値と略一致する文字部の濃度値を選択できない場合の文字部のパッチパターンの決定を説明する図である。
文字部条件決定部６３は、ステップＳ１０６〜Ｓ１０９において、背景部の濃度値Ｒ−ＡＤＣ［０］と略一致する文字部の濃度値Ｒ−ＡＤＣ［１］〜Ｐ［９］を選択できない場合（Ｓ１０７：Ｎｏ）、図１０に示すように、文字部のパッチパターンの濃度値が最大となるＰ［９］と決定する（Ｓ１１１）。
尚、図１１に示すように、背景部の濃度値Ｒ−ＡＤＣ［０］が、文字部の濃度値Ｒ−ＡＤＣ［１］〜Ｐ［９］のいずれよりも高い場合は、文字部のパッチパターンの濃度値が最大となるＰ［１］と決定する（Ｓ１１１）。
そして、文字部条件決定部６３は、文字部のパッチパターンの面積階調率Ｃｉｎを決定する（Ｓ１０９）。
【００５４】
図１２は操作表示部４０に表示される報知例を示す図である。画像形成装置１は、文字部のパッチパターンの面積階調率Ｃｉｎを最大値又は最小値に決定した場合、図１２に一例として示すように、画像形成装置１は、その旨を操作表示部４０に表示して、装置の保守担当者に装置の調整を促すことができる。
【００５５】
以上の説明では、背景部のドットパターンの線数を低線数（４７線）、文字部のドットパターンの線数を高線数（１４４線）として地紋画像を形成するようにしたが、背景部のドットパターンの線数を高線数（１４４線）、文字部のドットパターンの線数を低線数（４７線）として、複写時に文字部の濃度が背景部の濃度より高くなって、文字部が視覚上認識されるように地紋画像を形成してもよい。
また、以上の実施形態における説明では、パッチパターンのパッチ数（ｎ＝９）及び面積階調率（Ｃｉｎ）は一例であり、他の数及び値としても良い。
【符号の説明】
【００５６】
１・・・画像形成装置
１０・・・画像形成部
１３・・・感光体ユニット
３１・・・感光体ドラム
１４・・・現像装置
１５・・・転写装置
５１・・・中間転写ベルト
２０・・・給紙装置
３０・・・読取装置
４０・・・操作表示部
５０・・・画像処理部
６０・・・システム制御装置
６１・・・印刷制御部
６２・・・濃度情報検出部
６３・・・文字部条件決定部
６４・・・地紋データ作成部
Ｐ［０］〜Ｐ［９］・・・パッチパターン
ＳＲ・・・ＡＤＣセンサ
【図１】
2020046561.tif 000003
【図２】
2020046561.tif 000004
【図３】
2020046561.tif 000005
【図４】
2020046561.tif 000006
【図５】
2020046561.tif 000007
【図６】
2020046561.tif 000008
【図７】
2020046561.tif 000009
【図８】
2020046561.tif 000010
【図９】
2020046561.tif 000011
【図１０】
2020046561.tif 000012
【図１１】
2020046561.tif 000013
【図１２】
2020046561.tif 000014
【図１３】
2020046561.tif 000015